(57)【要約】      （修正有）【課題】構造がシンプルで製造コスト、生産性に富んでおり、叉消費者に対しても使い勝手の良い、ステープラーパンチャーを提供する。【解決手段】２穴あけパンチの上面パネル上１に両穴あけシリンダー刃が接触しないような楕円形の穴をあけ、レバー３，４の操作、及びレバーに連動したアーム６の動きで、ステープラーの作動状態では楕円穴が開き、上面パネルの動作時に、穴あけシリンダー刃が作動しないと同時にアームがステープラーの頭部を押すような構造にすると共に、パンチャーの作動時にはレバーが楕円穴を塞ぎ、レバーに連動したアームの角度でステープラーを作動させない機構にしたことを特徴とする。【選択図】図４
0003155446.tif 000002
【実用新案登録請求の範囲】
【請求項１】
２穴あけパンチの上面パネル１を上下操作しても、パンチ用両シリンダー刃１１が接触しないような２つの楕円形の穴２を上面パネル上にあけ、上面パネル裏面に取り付けられた各支点Ａ、Ｂで動く２つのレバー３，４の一方を操作することによって２つの楕円穴を閉じたり開いたり出来、更に２つのレバーの一方の先端に連動した支点Ｃを中心に角度の変わるアーム６が、上記レバーの操作で楕円穴が開いている時は、台座１０の中央に取り付けられたステープラー１７の真上直角に位置し、上面パネルの動作時に上記アームがステープラーの上部を押すことにより、ステープルを打つことが出来、一方２つのレバーが楕円穴を塞いでいる時は、上記アームがステープラーから離れた位置で平行となるように調整することで、上面パネル動作時にステープラーは動作せずに、２つのレバーが、パンチ用両シリンダー刃を押すことでパンチされることから、上記２つのレバーの一方を操作することによってステープラーを使用するか、パンチャーを使用するかを選択出来る構造を特徴とした２穴あけパンチャー。
【考案の詳細な説明】
【技術分野】
【０００１】  本考案は２つ穴あけパンチ、及びステープラーを一体化し、ファイリングの効率化、及び机上の整理整頓を図ることを目的としている。
【背景技術】
【０００２】  パンチとステープラーを一体化し、それぞれ個別に使用出来る事務製品は従来から望まれており、叉この種の特許、実用新案が出願されているが、商品性、実現性、汎用性、生産性等の面で今だ製品に至らないのが現状である。
【考案の開示】
【考案が解決しようとする課題】
【０００３】  この問題を解決するに当たり、２穴あけパンチの上面パネル上に両穴あけシリンダー刃が接触しないような楕円形の穴をあけ、レバーの操作、及びレバーに連動したアームの動きで、ステープラーの作動状態では楕円穴が開き、上面パネルの動作時に、穴あけシリンダー刃が作動しないと同時にアームがステープラーの上部を押すような構造にすると共に、パンチャーの作動時にはレバーが楕円穴を塞ぎ、レバーに連動したアームの角度でステープラーを作動させない機構にしたことを特徴とする。
【課題を解決するための手段】
【０００４】  上面パネル１を押し下げた時に、両穴あけシリンダー刃１０が上面パネルに接触しないような楕円穴２を上面パネル１上に設け、それぞれ各支点Ａ、Ｂをもつ鋼材からなる２本のレバー３，４、及びレバー３の先端の動きに連動した支点Ｃを中心に動くアーム６を取り付け、レバー３を上方に移動させた時に、図２の如く各レバーが支点Ａ、Ｂを中心に直線となり、楕円穴が塞がると同時に、上記アームが支点Ｃを中心にステープラー１７から離れた位置で平行となり、上面パネルの動作と同時に、パンチャーのみが作動する。同様にレバー３を下方に移動させた時は、図１の如く各レバーが支点Ａ、Ｂを中心に逆“く”の字となり、楕円穴が開くと同時に、上記アームが支点Ｃを中心にステープラー１７の上部に直角に配置され、上面パネルの動作と同時に、上記アームがステープラーの上部を押し下げるため、ステープラーのみが作動する構造を特徴とする。
【考案の効果】
【０００５】  上記に記載の如く、構造がシンプルなため製造コスト、生産性に富んでおり、叉消費者に対しても使い勝手の良い、便利な製品を提供出来る。
【考案を実施するための最良の形態】
【０００６】  以下、考案の実施形態に付き、図面と共に説明する。
図１は、ステープラーのみが作動するための、上面パネル１の裏側に取り付けたレバー、接続棒、アームの位置関係、及び各側面、底面を示す。レバー３、４は、レバー３を動かすことで、それぞれの支点Ａ、Ｂを中心にレバー４の支点Ｄを通し上下に動くと同時に、レバー３の先端に取り付けた接続棒５を通し、アーム６も支点Ｃを中心に動く。レバー３を下側にすると、上記楕円穴２が開くと同時に、アームが中央に取り付けられたステープラーに対し、直角にまたがる位置に固定される。【０００７】  図２は、２穴あけパンチのみが作動するための、図１に示した各部の位置関係、及び各側面、底面を示す。レバー３を上側にすると、レバー上の円盤３ａ、４ａが上記楕円穴２をふさぐと共に、アームが支点Ｃを中心に、中央に取り付けられたステープラーから離れた平行な位置に固定される。円盤３ａ、４ａの中央の丸３ｂ４ｂは突起していることを示し、この部分については後述する。【０００８】  図３は台座の平面図、及び左右側面、上下正面を示す。１２はステープラー１７をパンチャーの後部からスライドして挿入するための溝、１３、１４はステープラー挿入時底部を固定するための突起、１５はステープラー挿入後、後部をロックするためのスプリングを示す。【０００９】  図４中央は台座１０に上面パネル１、及びステープラー１７を取り付け、レバー３を手前、即ちステープラーのみを動作させる側にした時の立体図と左右側面を示している。前述の如く、アーム６がステープラー１７と直角にまたがり、上面パネルを押し下げると、アーム６がステープラー１７の上部を押し下げ、ステープルを打つことが出来る。１８はスプリングで、上面パネル上側の切りかき突起９と台座の切りかき１６の間に取り付けられ、常時上面パネルを上に押し上げる役割を果たしている。【００１０】  図５中央は図４のレバー３を前側、即ち穴あけパンチを動作させる側にした時の立体図と左右側面を示す。アーム６は、支点Ｃを中心にステープラー１７と離れた位置で平行となり、上面パネルを押し下げても、ステープラー１７には接触せず、３、４の各レバーにある円盤３ａ、４ａ、及び円盤中央の突起３ｂ、４ｂが両シリンダー刃１１を押し下げ、２つの穴をあけることが出来る。又、両シリンダー刃１１の径の中央には、僅かな凹み１１ａがあり、（図３参照）上記円盤の中央にある突起３ｂ、４ｂと勘合するため、レバー３、４をロックする機能も兼ねている。【００１１】  図６はステープラーの図面で、クリンチャー（針受け部）のある底部は上記台座の溝１２にスライドさせるように平らな構造になっている。又クリンチャー部と針出し部とのスペースはパンチ出来る用紙枚数の厚さにセットされている。【００１２】  図７はステープラーを台座に取り付けた状態、及びその下正面図を示している。前述の如く、台座１０下部の溝１２よりステープラー１７の頭部が止まる位置までスライドさせることで、突起１３、１４、及び下部に設けられたスプリング効果のある突起１５により固定される構造となっている。【００１３】  図８はステープラー後部を台座に固定するためのスプリング１５を示し、ステープラーを挿入し易いようなオメガの形状となっている。
以上説明した通り、本考案はパンチャーとステープラーの両機能を備えた簡単な構造を有し、現行商品の金型の僅かな変更と汎用部品の使用により、安定した商品を低コストと簡単な組立で製造出来ることを特徴としている。
【図面の簡単な説明】
【００１４】
【図１】上面パネル（レバーの移動による楕円穴が開く位置）
【図２】上面パネル（レバーの移動による楕円穴２が塞がる位置）
【図３】台座（平面、上下平面、左右側面各図面）
【図４】ステープラー動作図面
【図５】パンチャー動作図面
【図６】ステープラー本体図
【図７】ステープラーの台座への取り付け図
【図８】ステープラー後部固定用スプリング
【符号の説明】
【００１５】  １  上面パネル
２  楕円穴
３  レバー  ３ａ  レバー上の円盤、  ３ｂ  円盤上の突起
４  レバー  ４ａ  レバー上の円盤、  ４ｂ  円盤上の突起
５  接続棒
６  アーム
７  台座、上面パネル軸受けシリンダー用穴
８  レバー操作用溝
９  スプリング１８引っ掛け用切りかき（上面パネル部）
１０  台座
１１  穴あけシリンダー刃  １１ａ  径中央の凹み
１２  ステープラー挿入用溝
１３  ステープラー固定用突起
１４  ステープラー固定用突起
１５  ステープラー後部固定用スプリング
１６  スプリング１８引っ掛け用切りかき（台座部）
１７  上面パネル部
１８  上面パネル押し上げスプリング
１９  ステープラーの台座
２０  台座上面パネル軸受けシリンダー
【図１】
0003155446.tif 000003
【図２】
0003155446.tif 000004
【図３】
0003155446.tif 000005
【図４】
0003155446.tif 000006
【図５】
0003155446.tif 000007
【図６】
0003155446.tif 000008
【図７】
0003155446.tif 000009
【図８】
0003155446.tif 000010